(57)【要約】  【課題】  天板動作により天板可動部と寝台固定部の間に巻き込まれにくい被検者固定装置を提供する。  【解決手段】  被検体8を載置する寝台3の天板1に被検体8を固定する被検者固定装置であって、前記天板1と被検体8を固定する固定ベルトを接続する接続部5、および固定ベルト4と固定ベルト4の接続角度の保持をするから保持部6と、固定ベルト4の曲げ半径を規制する半径規制部7とから構成したものである。【選択図】      図２
2008086546.tif 000002
【特許請求の範囲】
【請求項１】
被検者を載置する寝台の天板に前記被検者を固定する被検者固定装置であって、
前記天板に前記被検者を固定する固定ベルトと、
前記天板に前記被検者を固定する固定ベルトを斜めに突出するための保持部と
を具備したことを特徴とする被検者固定装置。
【発明の詳細な説明】
【技術分野】
【０００１】
本発明はCT装置やMRI装置、X線診断装置、量子線治療装置等に設置された天板が可動する寝台に被検者を固定するための被検者固定装置に関する。
【背景技術】
【０００２】
従来この種の装置には、寝台に横になった被検査者が検査中に動かないように固定する被検者固定装置が設けられている(例えば特許文献１，2)。
【特許文献１】特許公開2000-279460号公報
【特許文献２】特許公開2005-80948号公報  前記特許文献1は、「患者載置用テーブル装置」の天板の側部にパイルテープとフックテープからなる接着テープによりアタッチメントベルトの一端側を着脱自在に取り付けると共に、アタッチメントベルトの他端に設けられた受け部内に固定ベルトの一端側に形成された鉤型形状の嵌め込み部を嵌合したもので、固定ベルトにより被検体を固定した際、固定ベルトをアタッチメントベルトから引き抜こうとする力が加わっても、受け部に締め付け力が発生するため、アタッチメントベルトより固定ベルトが抜け外れることがない等の効果を有している。
【０００３】
また、特許文献2天板の両側に設けられ、かつ長手方向に溝を有する係止レールと、溝より係止レール内に圧入することにより、係止レールの任意な位置に係止自在な係止部材と、係止レールより係止部材を離脱させる離脱手段と、係止部材に端部が取り付けられ、かつ天板に前記被検者を固定する固定ベルトとから構成したものである。
【発明の開示】
【発明が解決しようとする課題】
【０００４】
しかし前記特許文献1，2共に患者固定ベルト未使用時自然に垂れ下がる状態になる。元来患者固定用寝台の天板は、患者固定用寝台の上下動部に比べて幅が狭く出来ており、この状態で患者固定用寝台の天板部を前後に動かした場合この患者固定ベルトを巻き込む可能性がある。
これに対して未使用時取り外すことを前提にしているため、未使用時の患者固定ベルトの扱いに対しては特に工夫をしていない。
【０００５】
しかし、実際の臨床現場を見ると固定ベルトを垂れ下げた状態で天板に被検者を載置したり、天板からストレッチャへ被検者を移動する作業を行うことが多い。特に緊急を要する被検体の場合、固定ベルト取外しをしないままスキャンをしてしまうことが多々ある。
その結果垂れ下がった固定ベルトを天板の可動部と寝台上下部に挟み込んで固定ベルトや受け部等を損傷させたり、最悪の場合、スキャンシーケンスを中断し被検体に無効被曝させる危険がある。
【課題を解決するための手段】
【０００６】
本発明の被検者固定装置は、被検者を載置する寝台の天板に前記被検者を固定する被検者固定装置であって、前記天板に前記被検者を固定する固定ベルトと、前記天板に前記被検者を固定する固定ベルトを斜めに突出するための保持部とを具備したことを特徴とする被検者固定装置。
【発明の効果】
【０００７】
本発明はかかる従来の問題を改善するためになされたもので、天板動作により天板可動部と寝台固定部の間に巻き込まれにくい被検者固定装置を提供することを目的とするものである。
【発明を実施するための最良の形態】
【０００８】
本発明の実施の形態を、図面を参照して詳述する。
図1に一般的な患者寝台の斜視図を示す。患者寝台は床に固定するベース部、上下動する上下動部、前後に動く天板からなる。寝台上部にある天板に被検体を乗せ、シーケンス中でのガントリとのシンクロ動作、あるいは操作者の操作、あるいは操作卓からの動作指令などにより、上下前後に動作する。被検体の動きは画像に影響を及ぼすこととがあるため、通常寝台に被検体固定装置を用いて固定する。
【０００９】
図2に本発明を適用した患者寝台の斜視図を示す。通常の被検体固定装置は図6に示す断面図のように天板重力により上下動部に垂れ下がっている。しかし、本発明を適用すると、天板端面よりある角度を持って患者固定バンドを保持し、患者固定ベルト自体も円弧を描くようなベルトを使用する。
【００１０】
さらに詳しくは、図3，4，5を用いて説明する。図3は本発明の実施の形態になる被検者固定装置の断面図を、図4は本発明の実施の形態になる被検体を固定した状態での被検者固定装置の断面図を図5は本発明の実施の形態になる患者固定ベルトの詳細図を示す。
【００１１】
図5に示すように、患者固定ベルトにX線画像取得に問題とならないような半径規制するための物質(たとえば硬質ポリウレタン)を貼り付けて天板と上下動部の幅の差分の1/2以上の半径となるように半径規制部を形成する。このとき患者固定ベルトへの半径規制するための物質の貼り付けは、たとえば接着剤、たとえば縫い付けとする。このとき半径規制するための物質の厚さdと隣り合った半径規制するための物質との距離lは以下の式を満足する。
１＜ｄ
【００１２】
また、天板ベルト接続部には天板と接続した場合、天板からある角度を保持するような張りを持つ構造とする。これにより、一方向にはある曲げ半径以下にならないが反対側には自由に曲がる患者固定ベルトを構成できる。
実施形態の被検者固定装置は、被検者を載置する寝台の天板に被検者を固定する被検者固定装置であって、前記天板と被検者を固定する固定ベルトを接続する接続部、および固定ベルトと固定ベルトの接続角度の保持をするから保持部と、固定ベルトの曲げ半径を規制する半径規制部とから構成したものである。
【００１３】
固定ベルトの天板接続部に患者固定ベルトが任意の角度を描くように保持部を実装する。また、患者固定ベルト一方向には任意に曲げることが出来るが、反対方向には緩やかな弧を描くようにしか曲げることが出来ない半径規制部を配し、固定ベルト未使用時に天板可動部を支える寝台上下動部の幅より内側に患者固定ベルトが入らないようなる。
これにより、患者固定ベルトを未使用時には、天板可動部と寝台上下動部との間に前記固定ベルトが巻き込まれることを未然に防ぐことが出来る。
また、着脱の容易な接続部を使用した場合。固定ベルトの描く円弧が目立つため、固定ベルト未使用時にこれをとり外し忘れを防止することが出来る。
【００１４】
前記説明した通り、本発明を適用した場合、患者固定ベルトの存在に気付きやすく取り外し忘れることを防止できる。また、患者固定ベルトを実装したまま未使用でテーブル移動した場合でも、固定ベルトをはさみこむ危険性が少なくなる。
これにより、垂れ下がった固定ベルトを天板の可動部と寝台上下部に挟み込んで固定ベルトや受け部等を損傷させたり、最悪の場合、スキャンシーケンスを中断し被検体に無効被曝させる危険を回避することが出来、天板動作により天板可動部と寝台固定部の間に巻き込まれにくい被検者固定装置を提供することができる。
【産業上の利用可能性】
【００１５】
本発明の被検者固定装置は、寝台に被検者を固定して検査を行う医療機器全般に適用できるものである。
【図面の簡単な説明】
【００１６】
【図１】寝台の斜視図。
【図２】本発明の実施の形態になる被検者固定装置を備えた寝台の斜視図。
【図３】本発明の実施の形態になる被検者固定装置の断面図。
【図４】本発明の実施の形態になる被検体を固定した状態での被検者固定装置の断面  図。
【図５】本発明の実施の形態になる患者固定ベルトの詳細図。
【図６】一般的な被検者固定装置の例を示す断面図。
【符号の説明】
【００１７】
１ 天板
２ 寝台上下動部
３ 寝台
４ 患者固定ベルト
５ 天板ベルト接続部
６ ベルト保持部
７ 半径規制部
８ 被検体
９ ベース部
【図１】
2008086546.tif 000003
【図２】
2008086546.tif 000004
【図３】
2008086546.tif 000005
【図４】
2008086546.tif 000006
【図５】
2008086546.tif 000007
【図６】
2008086546.tif 000008